(57)【特許請求の範囲】
【請求項１】
第１の番組データ伝送手段を介して伝送されて来るパケットデータストリームでなる第１の番組データを第１のアンテナを介して受信する第１の受信系と、
第２の番組データ伝送手段を介して伝送されて来るパケットデータストリームでなる第２の番組データを第２のアンテナを介して受信する第２の受信系と、
タイミングコントロール手段によって制御されながら、上記第１及び第２の番組データのパケットデータを所定の書込みクロックによってそれぞれ第１及び第２のＦＩＦＯに書き込むと共に、当該書き込まれた上記第１及び第２のパケットデータを順次交互に上記書込みクロックの２倍の読出しクロックによって読み出すことにより上記第１及び第２の番組データの上記パケットデータを順次交互に配列してなる１つの多重化トランスポートストリームデータを生成する多重化手段と、
上記多重化トランスポートストリームデータを入力し、当該入力した多重化トランスポートストリームデータのうちから所望の番組を指定し、当該指定した番組のデータストリームから上記パケットの識別情報を取得することにより上記指定した番組のデータストリームを上記第１及び第２の番組データから同時に選択する選択手段と、
上記取得されたパケットの識別情報を上記選択手段から受けて上記指定された番組の番組データを、上記第１及び第２の番組データについて同時に分離抽出する分離抽出手段と
を具えることを特徴とする分離装置。
【請求項２】
上記分離抽出手段の前段又は後段に設けられ、上記選択手段により選択された各上記データストリーム又は上記分離抽出手段から出力される上記指定された番組の番組データを多重化する上記多重化手段
を具えることを特徴とする請求項１に記載の分離装置。
【請求項３】
上記分離抽出手段は、
分離抽出した上記指定された番組の番組データを上記パケツト化された状態のまま出力する
ことを特徴とする請求項１に記載の分離装置。
【請求項４】
第１の番組データ伝送手段を介して伝送されて来るパケットデータストリームでなる第１の番組データを第１のアンテナを介して第１の受信系において受信する第１の受信ステップと、
第２の番組データ伝送手段を介して伝送されて来るパケットデータストリームでなる第２の番組データを第２のアンテナを介して第２の受信系において受信する第２の受信ステップと、
多重化手段において、タイミングコントロール手段によって制御されながら、上記第１及び上記第２の番組データのパケットデータを所定の書込みクロックによってそれぞれ第１及び第２のＦＩＦＯに書き込むと共に、当該書き込まれた上記第１及び第２のパケットデータを順次交互に上記書込みクロックの２倍の読出しクロックによって読み出すことにより上記第１及び第２の番組データの上記パケットデータを順次交互に配列してなる１つの多重化トランスポートストリームデータを生成する多重化ステップと、
選択手段において、上記多重化トランスポートストリームデータを入力し、当該入力した多重化トランスポートストリームデータのうちから所望の番組を指定し、当該指定した番組のデータストリームから上記パケットの識別情報を取得することにより上記指定した番組のデータストリームを上記第１及び第２の番組データから同時に選択する選択ステップと、
分離抽出手段において、上記取得されたパケットの識別情報を上記選択手段から受けて上記指定された番組の上記データを、上記第１及び第２の番組データについて同時に分離抽出する分離抽出ステップと
を具えることを特徴とする分離方法。
【請求項５】
上記分離抽出ステップの前段又は後段において、上記選択ステップにおいて選択された各上記データストリーム又は上記分離抽出ステップにおいて出力される上記指定された番組の番組データを上記多重化手段によって多重化する多重化ステップ
を具えることを特徴とする請求項４に記載の分離方法。
【請求項６】
上記分離抽出ステップは、
分離抽出した上記指定された番組の番組データを上記パケツト化された状態のまま出力する
ことを特徴とする請求項４に記載の分離方法。
【請求項７】
第１の番組データ伝送手段を介して伝送されて来るパケットデータストリームでなる第１の番組データを第１のアンテナを介して受信する第１の受信系と、
第２の番組データ伝送手段を介して伝送されて来るパケットデータストリームでなる第２の番組データを第２のアンテナを介して受信する第２の受信系と、
タイミングコントロール手段によって制御されながら、上記第１及び上記第２の番組データのパケットデータを所定の書込みクロックによってそれぞれ第１及び第２のＦＩＦＯに書き込むと共に、当該書き込まれた上記第１及び第２のパケットデータを順次交互に上記書込みクロックの２倍の読出しクロックによって読み出すことにより上記第１及び第２の番組データの上記パケットデータを順次交互に配列してなる１つの多重化トランスポートストリームデータを生成する多重化手段と、
上記多重化トランスポートストリームデータを入力し、当該入力した多重化トランスポートストリームデータのうちから所望の番組を指定し、当該指定した番組のデータストリームから上記パケットの識別情報を取得することにより上記指定した番組のデータストリームを上記第１及び第２の番組データから同時に選択する選択手段と、
上記取得されたパケットの識別情報を上記選択手段から受けて上記指定された番組の上記データを、上記第１及び第２の番組データについて同時に分離抽出する分離抽出手段と、
上記分離抽出手段により分離抽出された上記番組データを復号する復号手段と
を具えることを特徴とする受信装置。
【請求項８】
上記分離抽出手段の前段又は後段に設けられ、上記選択手段により選択された各上記データストリーム又は上記分離抽出手段から出力される上記指定された番組の番組データを多重化する上記多重化手段
を具えることを特徴とする請求項７に記載の受信装置。
【請求項９】
上記分離抽出手段は、
分離抽出した上記指定された番組の番組データを上記パケツト化された状態のまま出力する
ことを特徴とする請求項７に記載の受信装置。
【請求項１０】
第１の番組データ伝送手段を介して伝送されて来るパケットデータストリームでなる第１の番組データを第１のアンテナを介して第１の受信系において受信する第１の受信ステップと、
第２の番組データ伝送手段を介して伝送されて来るパケットデータストリームでなる第２の番組データを第２のアンテナを介して第２の受信系において受信する第２の受信ステップと、
多重化手段において、タイミングコントロール手段によって制御されながら、上記第１及び上記第２の番組データのパケットデータを所定の書込みクロックによってそれぞれ第１及び第２のＦＩＦＯに書き込むと共に、当該書き込まれた上記第１及び第２のパケットデータを順次交互に上記書込みクロックの２倍の読出しクロックによって読み出すことにより上記第１及び第２の番組データの上記パケットデータを順次交互に配列してなる１つの多重化トランスポートストリームデータを生成する多重化ステップと、
選択手段において、上記多重化トランスポートストリームデータを入力し、当該入力した多重化トランスポートストリームデータのうちから所望の番組を指定し、当該指定した番組のデータストリームから上記パケットの識別情報を取得することにより上記指定した番組のデータストリームを上記第１及び第２の番組データから同時に選択する選択ステップと、
分離抽出手段において、上記取得されたパケットの識別情報を上記選択手段から受けて上記指定された番組の上記データを、上記第１及び第２の番組データについて同時に分離抽出する分離抽出ステップと
上記分離抽出手段により分離抽出された上記番組データを復号手段によって復号する復号ステップと
を具えることを特徴とする受信方法。
【請求項１１】
上記分離抽出ステップの前段又は後段に設けられ、上記選択ステップにおいて選択された各上記データストリーム又は上記分離抽出ステップにおいて出力される上記指定された番組の番組データを多重化する上記多重化ステップ
を具えることを特徴とする請求項１０に記載の受信方法。
【請求項１２】
上記分離抽出ステップは、
分離抽出した上記指定された番組の番組データを上記パケツト化された状態のまま出力する
ことを特徴とする請求項１０に記載の受信方法。
【発明の詳細な説明】
技術分野
本発明は分離装置及び方法並びに受信装置及び受信方法に関し、例えばデイジタル放送システムの受信装置に適用して好適なものである。
背景技術
従来、デイジタル放送システムでは、送信側において、各番組の映像音声信号をＭＰＥＧ２（Ｍｏｖｉｎｇ  Ｐｉｃｔｕｒｅ  Ｅｘ−ｐｅｒｔｓ  Ｇｒｏｕｐ  Ｐｈａｓｅ  ２）規格に従つて圧縮符号化すると共に、得られた圧縮符号化データや制御データ等の放送すべき各種データを１８４バイト毎に区切り、その先頭に同期コード（４７Ｈ）及び識別情報（ＰＩＤ：Ｐａｃｋｅｔ  Ｉｄｅｎｔｉｆｉｃａｔｉｏｎ、１３ビツト）を含んでなる４バイトのＴＳ（Ｔｒａｎｓｐｏｒｔ  Ｓｔｒｅａｍ）ヘツダを付加することにより１８８バイトのＴＳパケツトにパケツト化している。
また送信側では、このようにして得られた複数番組分のＴＳパケツト及び番組情報が格納されたＴＳパケツトを多重化してトランスポートストリームを生成し、これを例えばＱＰＳＫ（Ｑｕａｄｒａｔｕｒｅ  Ｐｈａｓｅ  Ｓｈｉｆｔ  Ｋｅｙｉｎｇ）変調してデイジタル放送信号として送出する。
一方受信側では、このデイジタル放送信号を受信及び復調し、得られたトランスポートストリームに含まれるユーザにより指定された番組のＴＳパケツトをＰＩＤに基づいて抽出すると共に、これらＴＳパケツトに格納された映像及び音声データを復号し、得られた映像をモニタに表示し、音声をスピーカから出力する。
このようにしてデイジタル放送システムでは、送信側において、複数番組分の映像音声データを多重化して送出し得る一方、受信側において、これら番組の中からユーザが所望する番組を選択して視聴することができるようになされている。
ところでこのようなデイジタル放送システムの受信装置では、デイジタル放送信号を復調することにより得られるトランスポートストリームから指定番組のＴＳパケツトを抽出するデマルチプレクサとして、１系統のトランスポートストリーム入力しか対応し得ないものが用いられている。
このためかかる受信装置において、例えば複数系統のデイジタル放送信号を受信して任意の複数番組の映像を多画面表示するようなアプリケーシヨンや、複数系統のデイジタル放送信号を受信して任意の１つの番組の映像のみを画面表示するようなアプリケーシヨンを考えた場合に、デイジタル放送信号の数だけデマルチプレクサを設ける必要があり、回路規模が増大するという問題があつた。
このように従来の受信装置では、回路規模を増大させることなくモニタ表示のアプリケーシヨンに幅をもたせることが難しいなど、小型化を図りながら機能性を向上させることが難しいという問題があつた。
発明の開示
本発明は以上の点を考慮してなされたもので、簡易な構成で機能性を格段的に向上させ得る簡易な構成の分離装置及び方法並びに受信装置及び方法を提案しようとするものである。
かかる課題を解決するため本発明においては、第１の番組データ伝送手段を介して伝送されて来るパケットデータストリームでなる第１の番組データを第１のアンテナを介して受信する第１の受信系と、第２の番組データ伝送手段を介して伝送されて来るパケットデータストリームでなる第２の番組データを第２のアンテナを介して受信する第２の受信系と、タイミングコントロール手段によって制御されながら、第１及び第２の番組データのパケットデータを所定の書込みクロックによってそれぞれ第１及び第２のＦＩＦＯに書き込むと共に、当該書き込まれた第１及び第２のパケットデータを順次交互に書込みクロックの２倍の読出しクロックによって読み出すことにより第１及び第２の番組データのパケットデータを順次交互に配列してなる１つの多重化トランスポートストリームデータを生成する多重化手段と、多重化トランスポートストリームデータを入力し、当該入力した多重化トランスポートストリームデータのうちから所望の番組を指定し、当該指定した番組のデータストリームからパケットの識別情報を取得することにより指定した番組のデータストリームを第１及び第２の番組データから同時に選択する選択手段と、取得されたパケットの識別情報を選択手段から受けて指定された番組のデータを、第１及び第２の番組データについて同時に分離抽出する分離抽出手段と、分離抽出手段により分離抽出された番組データを復号する復号手段とを設けるようにする。
本発明によれば、第１及び第２の受信系において受信する、第１及び第２番組データ伝送手段を介して伝送されて来た第１及び第２の番組データを、第１及び第２のＦＩＦＯに書き込むと共に、書込クロックの２倍の読出しクロックで読み出すことによって、多重化してなる多重化トランスポートストリームデータを生成した後、指定した番組のデータストリームから取得したパケットの識別情報に基づいて同時に第１及び第２の番組データを得ることができるようにしたことにより、一段と多機能なディジタル放送システム用の受信装置を実現できる。
発明を実施するための最良の形態
以下図面について、本発明の一実施の形態を詳述する。
（１）本実施の形態による受信装置の構成
図１において、１は全体として本実施の形態によるデイジタル放送システムの受信装置を示し、それぞれ異なるアンテナ２Ａ、２Ｂと接続された第１及び第２の受信系３Ａ、３Ｂが設けられ、マイクロプロセツサ４の制御のもとに、これら第１及び第２の受信系３Ａ、３Ｂをそれぞれ介して同時に少なくとも２番組を受信し得るようになされている。尚、図１においては、アンテナを２つ設けているが、１つのアンテナからの信号を２つの信号に分配して第１及び第２の受信系に供給するようにしても良い。つまり２つのアンテナを設けた場合には２つの衛星からのデイジタル放送信号を受信することができ、１つのアンテナしか設けていない場合には、１つの衛星からのデイジタル放送信号の内の２つのトランスポンダに対応する信号を選局することができる。
入力部５を介して入力されたユーザの所望する番組のチヤンネル情報が当該入力部５から制御バス６を介してマイクロプロセツサ４に与えられる。すなわち入力部５は、例えば赤外線受光部であり、図示しないリモートコントローラからのチャンネル情報が入力部５に入力され、制御バス６を介してマイクロプロセッサ４に供給される。
マイクロプロセツサ４は、供給されるチヤンネル情報に応じて、予めＲＯＭ（Ｒｅａｄ  Ｏｎｌｙ  Ｍｅｍｏｒｙ）７に格納されたプログラムに基づき、第１及び第２の受信系３Ａ、３Ｂのチユーナ部１０Ａ、１０Ｂをそれぞれ制御する。尚、ＲＡＭ（Ｒａｎｄｏｍ  Ａｃｃｅｓｓ  Ｍｅｍｏｒｙ）８はマイクロプロセッサの処理に用いられる記憶手段である。
この結果、各チユーナ部１０Ａ、１０Ｂは、マイクロプロセツサ４の制御のもとに、アンテナ２Ａ、２Ｂを介して受信される複数のデイジタル放送信号の中からそれぞれ対応するデイジタル放送信号を選局し、これを選局信号Ｓ１Ａ、Ｓ１Ｂとしてデイジタル復調部１１Ａ、１１Ｂに送出する。
各デイジタル復調部１１Ａ、１１Ｂは、それぞれ供給される選局信号Ｓ１Ａ、Ｓ１Ｂをデイジタル復調処理し、得られた復調データＤ１Ａ、Ｄ１Ｂを誤り訂正部１２Ａ、１２Ｂに送出する。また各誤り訂正部１２Ａ、１２Ｂは、それぞれ供給される復調データＤ１Ａ、Ｄ１Ｂに対して所定の誤り訂正処理を施し、得られたトランスポートストリームデータ（以下、これをＴＳデータと呼ぶ）Ｄ２Ａ、Ｄ２Ｂを選択チャンネル抽出部１３に送出する。
選択チャンネル抽出部１３は、マイクロプロセツサ４の制御のもとに、供給される２系統のＴＳデータＤ２Ａ、Ｄ２Ｂ及び、ＩＥＥＥ１３９４インターフェース５０を介してデジタルビデオテープレコーダ（ＶＴＲ）から供給されるＴＳデータＤ２Ｃからそれぞれ指定された番組の映像及び音声のＴＳパケツトのデータを映像及び音声毎にそれぞれ抽出及び多重化し、得られた映像ＴＳデータＤ３及び音声ＴＳデータＤ４をそれぞれ映像マルチデコード処理部１４若しくは音声デコード処理部１５に送出、又はＲＡＭ１６に格納する。尚、映像ＴＳデータＤ３は１または複数の番組のＴＳデータが多重化された信号であり、音声ＴＳデータＤ４は１つの番組（例えば多画面表示される番組の内、主画面として表示される番組）のＴＳデータである。
映像マルチデコード処理部１４は、マイクロプロセツサ４の制御のもとに、供給される映像ＴＳデータＤ３に含まれる１または複数の番組分の映像のＴＳパケツトデータをＲＡＭ１７を用いて同時にデコード処理し、得られた１または複数の番組の映像データＤ５を表示処理部１８に送出する。
表示処理部１８は、マイクロプロセツサ４の制御のもと、映像データＤ５に複数の番組の映像が含まれていた場合に、多画面表示するための所定の信号処理をＲＡＭ１９を用いて実行し、得られた表示信号Ｓ２を図示しないモニタに送出することにより当該表示信号Ｓ２に基づくマルチ画面映像を表示させる。尚、映像データＤ５に１つの番組の映像しか含まれていない場合には、その映像が従来のように画面全体に表示されるように所定の信号処理を行う。
一方音声デコード処理部１５は、マイクロプロセツサ４の制御のもとに、供給される音声ＴＳデータＤ４をＲＡＭ２０を用いてデコード処理し、得られた音声データＤ６を音声処理部２１に送出する。
そして音声処理部２１は、マイクロプロセツサ４の制御のもとに、供給される音声データＤ６をデジタル・アナログ変換して図示せぬスピーカに出力したり、光デジタル音声出力信号Ｓ３に変換して出力する。
このようにして受信装置１においては、異なる２系統のデイジタル放送信号及びＩＥＥＥ１３９４インターフェース５０を介して得られるＴＳデータの中からユーザにより指定された複数の番組の映像を画面分割等の方法でモニタに多画面表示させると共に、いずれか１つの番組の音声をスピーカから出力させ得るようになされている。
一方、ユーザがリモートコマンダを操作することより１つの番組を指定し、当該リモートコマンダから送信される操作信号を入力部５が受信したとき、マイクロプロセツサ４は、制御バス６を介して第１及び第２の受信系３Ａ、３Ｂのうちのいずれか一方の第１又は第２の受信系３Ａ、３Ｂのチユーナ部１０Ａ、１０Ｂ又は、ＩＥＥＥ１３９４インターフェース５０を制御する。
この結果この第１又は第２の受信系３Ａ、３Ｂのチユーナ部１０Ａ、１０Ｂにおいて選局されたデイジタル放送信号は、この後対応するデイジタル復調部１１Ａ、１１Ｂ及び誤り訂正部１２Ａ、１２Ｂにおいて復調処理及び誤り訂正処理されることによりトランスポートストリームに復元され、ＴＳデータＤ２Ａ又はＤ２Ｂとして選択チャンネル抽出部１３に与えられると共に、ＩＥＥＥ１３９４インターフェース５０を介して得られるデジタル信号が指定されている場合にはトランスポートストリーム構成のＴＳデータＤ２Ｃを得、これを選択チャンネル抽出部１３に与える。
このとき選択チャンネル抽出部１３は、マイクロプロセツサ４の制御のもとに、このＴＳデータＤ２Ａ、Ｄ２Ｂ及びＩＥＥＥ１３９４インターフェース５０を介して得られるＴＳデータＤ２Ｃからユーザにより指定された番組の映像のＴＳパケツト及び音声のＴＳパケツトを分離し、得られた映像ＴＳデータＤ３及び音声ＴＳデータＤ４をそれぞれ映像マルチデコード処理部１４及び音声デコード処理部１５に送出する。
かくして映像ＴＳデータＤ３は、マイクロプロセツサ４の制御のもとに、映像マルチデコード処理部１４においてデコード処理された後、表示処理部１８においてアナログ変換されて映像信号Ｓ２としてモニタに送出される。この結果モニタには、ユーザにより指定された１つの番組の映像のみが表示される。
また音声ＴＳデータＤ４は、マイクロプロセツサ４の制御のもとに、音声デコード処理部１５においてデコード処理された後、音声処理部２１においてアナログ変換されて音声信号Ｓ３としてスピーカに送出される。この結果スピーカからは、ユーザにより指定された番組の音声が出力される。
このようにしてこの受信装置１では、第１及び第２の受信系３Ａ、３Ｂからそれぞれ選択チャンネル抽出部１３に与えられる２系統のＴＳデータＤ２Ａ、Ｄ２Ｂ及びＩＥＥＥ１３９４インターフェース５０を介して得られるＴＳデータＤ２Ｃの中から１系統のＴＳデータのみを選択して指定された番組の映像音声を表示又は出力することもできるようになされている。
（２）選択チャンネル抽出部１３の構成
ここで実際上、選択チャンネル抽出部１３においては、図２に示すように構成されており、第１及び第２の受信系３Ａ、３Ｂの各誤り訂正部１２Ａ、１２Ｂからそれぞれ供給されるＴＳデータＤ２Ａ、Ｄ２ＢをそれぞれＴＳ選択／多重化部３０の対応する第１又は第２の同期コード検出及び付替え部３１Ａ、３１Ｂに入力する。
第１及び第２の同期コード検出及び付替え部３１Ａ、３１Ｂは、それぞれ供給されるＴＳデータＤ２Ａ、Ｄ２Ｂに含まれる各ＴＳパケツトのＴＳヘツダに格納された同期コードを検出し、当該同期コードを検出する毎に同期コード検出信号Ｓ１０をタイミングコントロール部３２に送出する。
また第１及び第２の同期コード検出及び付替え部３１Ａ、３１Ｂは、これと共に指定された各番組のＴＳパケツトのＰＩＤ（Ｐａｃｋｅｔ  Ｉｄｅｎｔｉｆｉｃａｔｉｏｎ）が同じである場合にも識別し得るように、それぞれ各ＴＳパケツトの同期コードをマイクロプロセツサ４から制御バス６、制御インターフエース部３３及びタイミングコントロール部３２を順次介して与えられる内部処理用の識別コードにそれぞれ書き換えると共に重複するＰＩＤを付け替えた後、これらＴＳパケツトのデータＤ１０Ａ、Ｄ１０Ｂを順次対応する第１又は第２のＦＩＦＯ（Ｆｉｒｓｔ−Ｉｎ  Ｆｉｒｓｔ−Ｏｕｔ）３３Ａ、３３Ｂに格納する。
一方タイミングコントロール部３２は、第１及び第２の同期コード検出及び付替え部３１Ａ、３１Ｂからそれぞれ与えられる同期コード検出信号Ｓ１０と、マイクロプロセツサ４から制御インターフエース部３３を介して与えられる制御信号とに基づいて、ユーザにより指定された複数の番組が２つのトランスポートストリームにそれぞれ含まれている場合には第１及び第２のＦＩＦＯ３３Ａ、３３Ｂから例えば交互にＴＳパケツト単位（１８８  バイト単位）でデータを２倍のクロック周波数で高速に読み出すことにより第１及び第２のＴＳデータＤ２Ａ、Ｄ２Ｂを多重化部５１で多重化し、得られたストリームデータを選択／多重化データＤ１１として多重化部５１を介してＴＳ分離部３４に送出させる。
これに対して第３の同期コード検出及び付替え部３１Ｃは、供給されるＴＳデータＤ２Ｃに含まれる各ＴＳパケツトのＴＳヘツダに格納された同期コードを検出し、当該同期コードを検出する毎に同期コード検出信号Ｓ１０をタイミングコントロール部３２に送出する。
また第３の同期コード検出及び付替え部３１Ｃは、入力されるＴＳデータＤ２Ｃに含まれるＴＳパケットが第１及び第２の同期コード検出及び付替え部３１Ａ及び３１Ｂにおいて指定された各番組のＴＳパケツトのＰＩＤ（Ｐａｃｋｅｔ  Ｉｄｅｎｔｉｆｉｃａｔｉｏｎ）と同じである場合にも識別し得るように、それぞれ各ＴＳパケツトの同期コードをマイクロプロセツサ４から与えられる内部処理用の識別コードにそれぞれ書き換えると共に重複するＰＩＤを付け替えた後、これらＴＳパケツトのデータＤ１０Ｃを順次対応する第３のＦＩＦＯ（Ｆｉｒｓｔ−ＩｎＦｉｒｓｔ−Ｏｕｔ）３３Ｃに格納する。
タイミングコントロール部３２は、第３同期コード検出及び付替え部３１Ｃから与えられる同期コード検出信号Ｓ１０と、マイクロプロセツサ４から制御インターフエース部３３を介して与えられる制御信号とに基づいて、ユーザにより指定された複数の番組が３つのトランスポートストリームにそれぞれ含まれている場合には第１、第２及び第３のＦＩＦＯ３３Ａ、３３Ｂ及び３３Ｃから例えば交互にＴＳパケツト単位（１８８  バイト単位）でデータを３倍のクロック周波数で高速に読み出すことにより第１、第２及び第３のＴＳデータＤ２Ａ、Ｄ２Ｂ及びＤ２Ｃを多重化部５１で多重化し、得られたストリームデータを選択／多重化データＤ１１としてＴＳ分離部３４に送出させる。
このときＴＳ分離部３４は、まず供給される選択／多重化データＤ１１から第１及び第２の受信系３Ａ、３Ｂにおいて選局されたデイジタル放送信号に含まれる番組情報が格納されたＴＳパケツト及びＩＥＥＥ１３９４インターフェース５０を介して得られたＴＳデータＤ２Ｃに含まれる番組情報が格納されたＴＳパケットを抽出し、これらを制御インターフエース部３３及び制御バス６を順次介してマイクロプロセツサ４に送出する。
そしてマイクロプロセツサ４は、このＴＳ分離部３４から供給される番組情報に基づいて指定された番組の映像及び音声等の各ＴＳパケツトのＰＩＤを取得し、このＰＩＤを制御バス６及び制御インターフエース部３３を順次介してＴＳ分離部３４に送出する。
かくしてＴＳ分離部３４は、このマイクロプロセツサ４から与えられるＰＩＤに基づいて、選択／多重化データＤ１１の中から指定された各番組の映像、音声、制御データ及びデータ信号等の各ＴＳパケツトを抽出し、これら各番組の制御情報及びデータ信号等を制御インターフエース部３３を介してマイクロプロセツサ４に送出すると共に、これら各番組の映像及び音声のＴＳパケツトのデータを映像ＴＳパケツトデータＤ１２Ａ及び音声ＴＳパケツトデータＤ１２ＢとしてＰＩＤ差替え及び同期コード変換部３５に送出、又はＲＡＭインターフエース部３６を介してＲＡＭ１６に格納する。
因に、ＴＳ分離部３４は、第１及び第２の受信系３Ａ及び３Ｂにおいて受信されたＴＳデータＤ２Ａ及びＤ３Ｂのなかから、ユーザが選択した番組に対応するＴＳパケットを選択することにより新たなＴＳデータＤ２Ｃを生成し、これをＩＥＥＥ１３９４インターフェース５０を介してデジタルＶＴＲに記録することもできる。この場合、ＴＳ分離部３４は、ＴＳデータＤ２ＣにＰＩＤが付替えられたＴＳパケットが存在する場合には、その付替えたもとのＰＩＤと付替えられたＰＩＤとの対応を付替え情報としてＩＥＥＥ１３９４経由でデジタルＶＴＲに出力するようになされている。
ＰＩＤ付替え及び同期コード変換部３５は、マイクロプロセツサ４の制御のもとに、供給される映像ＴＳパケツトデータＤ１２Ａ及び音声ＴＳパケツトデータＤ１２Ｂの映像及び音声の各ＴＳパケツトに対して、第１、第２又は第３の同期コード検出及び付替え部３１Ａ、３１Ｂ、３１Ｃにおいて付与した識別コード及びＰＩＤを元の同期コードに書き換える。
またＰＩＤ付替え及び同期コード変換部３５は、例えばユーザにより指定された複数の番組の映像及び音声のＴＳパケツトのＰＩＤが同じであつた場合に、ＰＩＤが重複するＴＳパケットのチャンネル番号を特定する情報を制御線ＣＯＮＴを介して映像マルチデコード処理部１４または音声デコード処理部１５に送出する。
これに対してタイミングコントロール部３２は、ユーザにより入力部５を介して１つの番組のみが指定された場合にはマイクロプロセツサ４の制御のもとに、対応する第１、第２又は第３の同期コード検出及び付替え部３１Ａ、３１Ｂ、３１Ｃから与えられる同期コード検出信号Ｓ１０に基づいて、第１、第２及び第３のＦＩＦＯ３３Ａ、３３Ｂ、３３Ｃのうち、対応する一方の第１、第２又は第３のＦＩＦＯ３３Ａ、３３Ｂ、３３ＣからのみＴＳパケツト単位（188 バイト単位）でデータを１倍速で読み出し、これを選択／多重化データＤ１１としてＴＳ分離部３４に送出させる。
このときＴＳ分離部３４は、供給される選択／多重化データＤ１１から番組情報が格納されたＴＳパケツトを抽出し、これを制御インターフエース部３３及び制御バス６を順次介してマイクロプロセツサ４に送出する。
そしてマイクロプロセツサ４は、このＴＳ分離部３４から供給される番組情報に基づいてユーザにより指定された番組の映像及び音声等の各ＴＳパケツトのＰＩＤを取得し、これらＰＩＤを制御バス６及び制御インターフエース部３３を順次介してＴＳ分離部３４に送出する。
かくしてＴＳ分離部３４は、このマイクロプロセツサ４から与えられるＰＩＤに基づいて、選択／多重化データＤ１１の中から指定された番組の映像、音声、制御データ及びデータ信号等の各ＴＳパケツトを抽出し、これら制御情報及びデータ信号等を制御インターフエース部３３及び制御バス６を順次介してマイクロプロセツサ４に送出すると共に、映像及び音声の各ＴＳパケツトのデータをそれぞれ映像及び音声毎に映像ＴＳパケツトデータＤ１２Ａ及び音声ＴＳパケツトデータＤ１２ＢとしてＰＩＤ付替え及び同期コード変換部３５に送出、又はＲＡＭインターフエース部３６を介してＲＡＭ１６に格納する。
ユーザにより１つの番組のみが指定されている場合には、ＰＩＤが重なることはないので、ＰＩＤ付替え及び同期コード変換部３５は、ＰＩＤの付け替えは行わない。従ってＰＩＤ付替え及び同期コード変換部３５は、マイクロプロセツサ４の制御に基づいて、供給される映像ＴＳパケツトデータＤ１２Ａを映像ＴＳパケツトストリームデータＤ３として映像マルチデコード処理部１４にそのまま送出する一方、供給される音声ＴＳパケツトデータＤ１２Ｂを音声ＴＳパケツトストリームデータＤ４としてそのまま音声デコード処理部１５に送出する。
このようにしてこの選択チャンネル抽出部１３においては、第１及び第２の受信系３Ａ、３Ｂの各誤り訂正部１２Ａ、１２Ｂからそれぞれ供給される各ＴＳデータＤ２Ａ、Ｄ２Ｂ並びに、ＩＥＥＥ１３９４インターフェース５０を介して供給されるＴＳデータＤ２Ｃから指定された複数又は１つの番組の映像及び音声のＴＳパケツトを選択して出力し得るようになされている。
ここで、図３は、選択チャンネル抽出部１３における選択チャンネルの抽出処理手順を示し、マイクロプロセツサ４により制御される選択チャンネル抽出部１３は、ステップＳＰ１０から当該処理手順に入ると、続くステップＳＰ１１においてユーザにより指定された番組の数を判断する。ここで指定された番組数が１つである場合には、選択チャンネル抽出部１３はステップＳＰ１３に移って、１つの受信系（第１又は第２の受信系３Ａ、３Ｂ若しくはＩＥＥＥ１３９４インターフェース５０を介した第３の受信系）のなかの１つを制御して選局、復調誤り訂正を行う。因に、ＩＥＥＥ１３９４インターフェース５０においても必要に応じて選局及び誤り訂正が行われる。
そして選択チャンネル抽出部１３は、この結果得られる映像ＴＳパケツトストリームデータＤ３及び音声ＴＳパケツトストリームデータＤ４をステップＳＰ１６において映像マルチデコーダ１４及び音声デコーダ１５に出力しステップＳＰ２０において当該処理手順を終了する。
これに対してステップＳＰ１１において複数番組が指定されている場合には、選択チャンネル抽出部１３はステップＳＰ１２に移り、指定された番組は３つの受信系（第１又は第２の受信系３Ａ、３Ｂ若しくはＩＥＥＥ１３９４インターフェース５０を介した第３の受信系）のなかの１つを介して得られるＴＳデータのみに含まれるとき、選択チャンネル抽出部１３はステップＳＰ１２において否定結果を得ることにより、ステップＳＰ１４に移って、１つの受信系（第１又は第２の受信系３Ａ、３Ｂ若しくはＩＥＥＥ１３９４インターフェース５０を介した第３の受信系）のなかの１つを制御して選局、復調誤り訂正を行う。因に、ＩＥＥＥ１３９４インターフェース５０においても必要に応じて選局及び誤り訂正が行われる。
そして選択チャンネル抽出部１３は、この結果得られる映像ＴＳパケツトストリームデータＤ３及び音声ＴＳパケツトストリームデータＤ４をステップＳＰ１６において映像マルチデコーダ１４及び音声デコーダ１５に出力しステップＳＰ２０において当該処理手順を終了する。
これに対してステップＳＰ１２において肯定結果が得られると、このことはユーザにより指定された番組が２つ以上の受信系（第１又は第２の受信系３Ａ、３Ｂ若しくはＩＥＥＥ１３９４インターフェース５０を介した第３の受信系のなかの２つ以上）を介して得られるＴＳデータに含まれることを意味し、このとき、選択チャンネル抽出部１３はステップＳＰ１２において肯定結果を得ることによりステップＳＰ１５に移り、このとき指定されたＴＳデータが得られる２つ以上の受信系（第１又は第２の受信系３Ａ、３Ｂ若しくはＩＥＥＥ１３９４インターフェース５０を介した第３の受信系の２つ以上）を制御して選局、誤り訂正を行う。
そして選択チャンネル抽出部１３は、続くステップＳＰ１７に移り、選択されたＴＳパケットにＰＩＤの重複が有るか否かを判断し、重複が有る場合には続くステップＳＰ１８に移ってＰＩＤの付替えを行った後ステップＳＰ１９に移り、また、重複がない場合にはステップＳＰ１９に移る。
選択チャンネル抽出部１３は、ステップＳＰ１９において映像ＴＳパケツトストリームデータＤ３及び音声ＴＳパケツトストリームデータＤ４を映像マルチデコーダ１４及び音声デコーダ１５に出力した後、ステップＳＰ２０において当該処理手順を終了する。
（３）本実施の形態の動作及び効果
以上の構成において、この受信装置１では、図４に示すように第１及び第２の受信系３Ａ、３Ｂ並びにＩＥＥＥ１３９４インターフェース５０を介してＴＳデータを受信する第３の受信系においてそれぞれ指定された番組に応じたデイジタル放送信号又はデイジタルＶＴＲから再生されたＴＳデータＤ２Ａ（図４（Ａ））、Ｄ２Ｂ（図４（Ｂ））、Ｄ２Ｃ（図４（Ｃ））のなかから、それぞれ１つの番組を選択する場合、タイミングコントローラ３２により３つのＴＳデータＤ２Ａ、Ｄ２Ｂ、Ｄ２Ｃがそれぞれ３倍のクロックでＦＩＦＯから読み出され、図４（Ｄ）に示すような時間軸方向に圧縮されたデータとなる。
そしてＴＳ分離部３４において、このとき選択されている番組の映像データを含むＴＳパケットのみを抽出することにより、図４（Ｅ）に示すように、例えば第１のＴＳデータＤ２Ａに含まれるチャンネル２のＴＳパケット（ＰＩＤ＝３）と、第２のＴＳデータＤ２Ｂに含まれるチャンネル６のＴＳパケット（ＰＩＤ＝１５）と、第３のＴＳデータＤ２Ｃに含まれるチャンネル８のＴＳパケット（ＰＩＤ＝２３）とが抽出される。
また、このときＴＳ分離部３４は、このとき選択されている番組の１つの音声データを含むＴＳパケットを抽出することにより、図４（Ｆ）に示すように、例えば第１のＴＳデータＤ２Ａに含まれるチャンネル２のＴＳパケット（ＰＩＤ＝４）が抽出される。
これにより、第１〜第３の受信系において受信された３つのＴＳデータＤ２Ａ、Ｄ２Ｂ、Ｄ３Ｃの中から、それぞれ１つずつの番組を選択し合計３つの番組の映像とそのなかの１つの番組の音声を表示部において表示することができる。
この場合、例えばＣＲＴ(Ｃａｔｈｏｄｅ  Ｒａｙ  Ｔｕｂｅ)で構成される表示部の表示画面には、当該表示画面を３分割してなる各領域に各番組の映像が表示され、当該表示された番組のなかの１つの番組の音声が表示部に設けられたスピーカから出力されることになる。
また、これに対して、ユーザが３つの受信系のなかの２つの受信系（例えば第１の受信系３Ａ及び第２の受信系３Ｂ）を介して得られるＴＳデータＤ２Ａ及びＤ２Ｂにそれぞれ含まれる番組を選択した場合、図５に示すように、２つのＴＳデータＤ２Ａ（図５（Ａ））及びＤ２Ｂ（図５（Ｂ））は、タイミングコントローラ３２によりそれぞれ２倍のクロックでＦＩＦＯから読み出され、図５（Ｃ）に示すような時間軸方向に圧縮されたデータとして多重化された後、ＴＳ分離部３４に供給される。
そしてＴＳ分離部３４において、このとき選択されている番組の映像データを含むＴＳパケットのみを抽出することにより、図５（Ｄ）に示すように、例えば第１のＴＳデータＤ２Ａに含まれるチャンネル２のＴＳパケット（ＰＩＤ＝３）と、第２のＴＳデータＤ２Ｂに含まれるチャンネル６のＴＳパケット（ＰＩＤ＝１５）とが抽出される。
また、このときＴＳ分離部３４は、このとき選択されている番組の１つの音声データを含むＴＳパケットを抽出することにより、図５（Ｅ）に示すように、例えば第１のＴＳデータＤ２Ａに含まれるチャンネル２のＴＳパケット（ＰＩＤ＝４）が抽出される。
これにより、第１及び第２の受信系において受信された２つのＴＳデータＤ２Ａ及びＤ２Ｂの中から、それぞれ１つずつの番組を選択し合計２つの番組の映像とそのなかの１つの番組の音声を表示部において表示することができる。
この場合、表示部の表示画面には、当該表示画面を２分割してなる各領域に各番組の映像が表示され、当該表示された番組のなかの１つの番組の音声が表示部に設けられたスピーカから出力されることになる。
また、これに対して、ユーザが３つの受信系のなかの２つの受信系（例えば第１の受信系３Ａ及び第２の受信系３Ｂ）を介して得られるＴＳデータＤ２Ａ及びＤ２Ｂにそれぞれ含まれる番組を選択し、当該選択された２つのＴＳデータＤ２Ａ及びＤ２Ｂに重複するＰＩＤのＴＳパケットが存在する場合、図６に示すように、２つのＴＳデータＤ２Ａ（図６（Ａ））及びＤ２Ｂ（図６（Ｂ））は、タイミングコントローラ３２によりそれぞれ２倍のクロックでＦＩＦＯから読み出され、図６（Ｃ）に示すような時間軸方向に圧縮されたデータとして多重化する。このとき、第２のＴＳデータＤ２Ｂは、同期コード検出及び付替え部３１Ｂにおいて第１のＴＳデータＤ２ＡのＴＳパケットのＰＩＤと重複するＰＩＤを有するＴＳパケットのＰＩＤが付け替えられていることにより、例えば図６（Ｃ）に示すように第２のＴＳデータＤ２Ｂの第４のチャンネルのＴＳパケットのＰＩＤが「ＰＩＤ＝３」から「ＰＩＤ＝ａ」に付け替えられる。このようにして重複するＴＳパケットのＰＩＤが付替えられたＴＳデータＤ２Ｂと、もとのＰＩＤが付加されているＴＳパケットを有するＴＳデータＤ２Ａとが多重化部５１において多重化されることにより、図６（Ｃ）に示すように、互いに重複のないＰＩＤからなるＴＳパケット列が得られる。このＴＳパケット列はＴＳ分離部３４に供給される。
そしてＴＳ分離部３４において、このとき選択されている番組の映像データを含むＴＳパケットのみを抽出することにより、図６（Ｄ）に示すように、例えば第１のＴＳデータＤ２Ａに含まれるチャンネル２のＴＳパケット（ＰＩＤ＝３）と、第２のＴＳデータＤ２Ｂに含まれるチャンネル６のＴＳパケット（ＰＩＤ＝７（ｅ））とが抽出される。
また、このときＴＳ分離部３４は、このとき選択されている番組の１つの音声データを含むＴＳパケットを抽出することにより、図６（Ｅ）に示すように、例えば第１のＴＳデータＤ２Ａに含まれるチャンネル６のＴＳパケット（ＰＩＤ＝８（ｆ））が抽出される。
これにより、第１及び第２の受信系において受信された２つのＴＳデータＤ２Ａ及びＤ２Ｂの中から、それぞれ１つずつの番組を選択し合計２つの番組の映像とそのなかの１つの番組の音声を表示部において表示することができる。
この場合、表示部の表示画面には、当該表示画面を２分割してなる各領域に各番組の映像が表示され、当該表示された番組のなかの１つの番組の音声が表示部に設けられたスピーカから出力されることになる。
また、これに対して、ユーザが３つの受信系のなかの１つの受信系（例えば第１の受信系３Ａ）を介して得られるＴＳデータＤ２Ａに含まれる２つの番組を選択した場合、図７に示すように、１つのＴＳデータＤ２Ａ（図７（Ａ））は、タイミングコントローラ３２によりそれぞれ１倍のクロックでＦＩＦＯから読み出され、図７（Ｂ）に示すような時間軸方向に圧縮されていないデータとしてＴＳ分離部３４に供給される。
そしてＴＳ分離部３４において、このとき選択されている番組の映像データを含むＴＳパケットのみを抽出することにより、図７（Ｃ）に示すように、例えば第１のＴＳデータＤ２Ａに含まれるチャンネル２のＴＳパケット（ＰＩＤ＝３）と、第１のＴＳデータＤ２Ａに含まれるチャンネル３のＴＳパケット（ＰＩＤ＝５）とが抽出される。
また、このときＴＳ分離部３４は、このとき選択されている番組の１つの音声データを含むＴＳパケットを抽出することにより、図７（Ｄ）に示すように、例えば第１のＴＳデータＤ２Ａに含まれるチャンネル３のＴＳパケット（ＰＩＤ＝６）が抽出される。
これにより、第１の受信系において受信された１つのＴＳデータＤ２Ａの中から、２つの番組を選択し合計２つの番組の映像とそのなかの１つの番組の音声を表示部において表示することができる。
この場合、表示部の表示画面には、当該表示画面を２分割してなる各領域に各番組の映像が表示され、当該表示された番組のなかの１つの番組の音声が表示部に設けられたスピーカから出力されることになる。
このようにして受信装置１では、ユーザにより複数の番組が指定された場合、第１及び第２の受信系３Ａ、３Ｂ並びにＩＥＥＥ１３９４インターフェース５０を介してＴＳデータを受信する第３の受信系においてそれぞれ指定された番組に応じたデイジタル放送信号又はデイジタルＶＴＲから再生されたＴＳデータを選局し、これらに対応するデイジタル復調部及び誤り訂正部において順次復調処理及び誤り訂正処理を施した後、得られた第１、第２及び第３のＴＳデータＤ２Ａ、Ｄ２Ｂ、Ｄ２Ｃから指定された１つ又は２つ以上番組の映像及び１つの番組の音声のＴＳパケツトを分離抽出する。
またこの後得られた映像ＴＳパケツトデータＤ３を映像マルチデコード処理部１４において複数番組分を同時にデコード処理すると共に、１番組分の音声ＴＳパケツトデータＤ４を音声デコード処理部１５においてデコード処理する。
さらにこの後得られた映像データＤ５Ａ、Ｄ５Ｂに基づいて指定された複数番組分の映像をマルチ画面表示するための信号処理を表示処理部１８において行い、かつ指定された番組の音声を音声処理部２１において選択する。
従つてこの受信装置１では、複数のデイジタル放送信号から複数番組を受信してこれら各番組の映像をマルチ画面表示することができるなど、画面表示について高い機能性を得ることができる。
またこの受信装置１では、選択チャンネル抽出部１３が複数のＴＳデータＤ２Ａ、Ｄ２Ｂ、Ｄ２Ｃの入力に対応してこれらＴＳデータＤ２Ａ、Ｄ２Ｂ、Ｄ２Ｃからユーザにより指定された番組のＴＳパケツトを分離することができるため、例えばトランスポートストリームから指定された番組のＴＳパケツトを抽出するデマルチプレクサを複数設ける必要がなく、その分簡易に構築することができる。
以上の構成によれば、第１、第２及び第３の受信系からそれぞれ出力されるＴＳデータＤ２Ａ、Ｄ２Ｂ、Ｄ２Ｃをそれぞれ選択チャンネル抽出部１３において必要に応じて選択し、当該選択したＴＳデータＤ２Ａ、Ｄ２Ｂ、Ｄ２Ｃに含まれる指定された番組の映像及び音声等の各種データのＴＳパケツトを分離抽出するようにしたことにより、簡易な構成でアプリケーシヨンの幅をもたせ得るようにすることができる。かくするにつき簡易な構成で機能性を格段的に向上させ得るようにすることができる。
（４）他の実施の形態
なお上述の実施の形態においては、アンテナを２つ設けているが、図８に示すように、１つのアンテナ２Ｃからの信号を分配器４０によって２つの信号に分配して第１及び第２の受信系に供給するようにしても良い。つまり２つのアンテナを設けた場合には２つの衛星からのデイジタル放送信号を受信することができ、１つのアンテナしか設けていない場合には、１つの衛星からのデイジタル放送信号の内の２つのトランスポンダに対応する信号を選局することができる。
また上述の実施の形態においては、本発明による分離装置としての選択チャンネル抽出部１３を図２のように構成するようにした場合について述べたが、本発明はこれに限らず、要は、複数系統のデータをそれぞれ所定単位で多重化してなるデータストリームから指定された系統の上記データを分離抽出することができるのであれば、選択チャンネル抽出部１３の構成としてはこの他種々の構成を広く適用することができる。
この場合上述の実施の形態においては、複数のデータストリームを入力し、当該入力した複数のデータストリームのうちの対応する一部又は全部のデータストリームを選択する選択手段としてのＴＳ選択／多重化処理部３０を図２のように第１、第２及び第３の同期コード検出及び付替え部３１Ａ、３１Ｂ、３１Ｃと、ＦＩＦＯ３３Ａ、３３Ｂ、３３Ｃとタイミングコントロール部３２とで構成するようにした場合について述べたが、本発明はこれに限らず、この他種々の構成を広く適用することができる。
また上述の実施の形態においては、ＴＳデータＤ２Ａ、Ｄ２Ｂ、Ｄ２Ｃに含まれるユーザにより指定された系統（指定された番組の映像、音声等）のデータ（映像データ及び音声データ）を分離抽出する分離抽出手段としてのＴＳ分離部３４を、これらデータを多重化する多重化手段としてのＦＩＦＯ３３Ａ、３３Ｂ、３３Ｃ及びタイミングコントロール部３２、多重化部５１の後段に配置するようにした場合について述べたが、本発明はこれに限らず、例えばＴＳ分離部３４をＦＩＦＯ３３Ａ、３３Ｂ、３３Ｃ、タイミングコントロール部３２，多重化部５１の前段に配置するようにしても良く、このようにしても上述の実施の形態と同様の効果を得ることができる。
さらに上述の実施の形態においては、選択チャンネル抽出部１３がユーザにより指定された番組の映像及び音声のデータをＴＳパケツトのまま多重化して出力するようにした場合について述べたが、本発明はこれに限らず、例えばＥＳ（Ｅｌｅｍｅｎｔａｒｙ  Ｓｔｒｅａｍ）や、ＰＥＳ（Ｐａｃｋｅｔｉｚｅｄ  Ｅｌｅｍｅｎｔａｒｙ  Ｓｔｒｅａｍ）のような信号形態でユーザにより指定された番組の映像及び音声のデータを多重化して出力するようにしても良い。なおこの場合には選択チャンネル抽出部１３が、映像マルチデコード処理部１４及び音声マルチデコード処理部１５に対してこれら映像マルチデコード処理部１４及び音声マルチデコード処理部１５がそのとき供給される映像ＴＳデータＤ３又は音声ＴＳデータＤ４がどの番組のものであるかを判別し得るような制御信号を出力するように受信装置を構築するようにすれば良い。
さらに上述の実施の形態においては、選択チャンネル抽出部１３を３つのトランスポートストリーム入力に対応し得るように構築するようにした場合について述べたが、本発明はこれに限らず、要は、複数のデータストリームを入力し、当該入力した複数のデータストリームのうちの対応する一部又は全部のデータストリームを選択すると共に、当該選択した各データストリームに含まれる指定された系統のデータを分離抽出するように選択チャンネル抽出部１３を構築するのであれば、当該選択チャンネル抽出部１３の対応し得るトランスポートストリーム数としては４以上であつても良い。
さらに上述の実施の形態においては、ＰＩＤが重複しているＴＳパケットのＰＩＤを付け替えるようしたが、本発明はこれに限らず、例えば重複するＰＩＤが他に存在するＴＳパケットについて、そのヘッダ部分にチャンネル番号を特定するフラグを付加して選択チャンネル抽出部１３から制御線ＣＯＮＴで出力するようにしても良い。
さらに上述の実施の形態においては、本発明による受信装置をデイジタル放送システムにおける受信装置に適用するようにした場合について述べたが、本発明はこれに限らず、例えばケーブルテレビジヨン放送用の受信装置等この他種々の受信装置に広く適用することができる。この場合、受信系を異なる放送形態（例えば通信衛星を介して番組を配信するＣＳ(Ｃｏｍｍｕｎｉｃａｔｉｏｎｓ  Ｓａｔｅｌｌｉｔｅ)放送、放送衛星を介して番組を配信するＢＳ(Ｂｒｏａｄｃａｓｔｉｎｇ  Ｓａｔｅｌｌｉｔｅ）放送、ケーブルテレビジョン放送、さらには地上波を介して配信されるディジタル放送等）に対応させ、異なる放送形態の番組を抽出するようにしても良い。
産業上の利用可能性
ＣＳ放送、ＢＳ放送又はケーブルテレビジョン放送等、複数の放送形態で配信される番組を同一のモニタ上で同時に表示させる場合に利用できる。
【図面の簡単な説明】
図１は、本実施の形態による受信装置の構成を示すブロツク図である。
図２は、選択チャンネル抽出部の構成を示すブロツク図である。
図３は、選択チャンネル抽出処理手順を示すフローチャートである。
図４は、３本のトランスポートストリームからそれぞれ１つずつ番組を選択する場合の抽出処理の説明に供する略線図である。
図５は、２本のトランスポートストリームからそれぞれ１つずつ番組を選択する場合の抽出処理の説明に供する略線図である。
図６は、２本のトランスポートストリームからそれぞれ１つずつ番組を選択する際にＰＩＤの重複がある場合の抽出処理の説明に供する略線図である。
図７は、１本のトランスポートストリームから２つの番組を選択する場合の抽出処理の説明に供する略線図である。
図８は、他の実施の形態を示すブロック図である。
【図１】
0004304562.tif 000002
【図２】
0004304562.tif 000003
【図３】
0004304562.tif 000004
【図４】
0004304562.tif 000005
【図５】
0004304562.tif 000006
【図６】
0004304562.tif 000007
【図７】
0004304562.tif 000008
【図８】
0004304562.tif 000009
0004304562.tif 000010